(57)【要約】【課題】  本発明の目的は、部材の取り付け取り外しが容易なねじ支持装置を提供するものである。【解決手段】  ねじ支持装置Ａは、雌ネジＴａを有する被締結部材Ｔに雄ねじＳを締め付ける際に雄ねじＳを支持するねじ支持装置Ａであって、雄ねじＳを受け入れる受入側Ｘから被締結部材側Ｙまで連通し且つ雄ねじＳが通過可能な通過領域１ａが形成されたボディー部材１と、通過領域１ａを通過する雄ねじＳに当接して雄ねじＳを支持するための複数の支持ユニット２と、を備え、ボディー部材１には、通過領域１ａの周囲に等間隔に配置され、且つ複数の支持ユニット２に１対１で対応し、且つ受入側Ｘおよび被締結部材側Ｙのいずれかに開放された複数の収納凹部１Ａが形成されているものである。【選択図】図４
2019173861.tif 000002
【特許請求の範囲】
【請求項１】
雌ネジを有する被締結部材に雄ねじを締め付ける際に前記雄ねじを支持するねじ支持装置であって、
前記雄ねじを受け入れる受入側から被締結部材側まで連通し且つ前記雄ねじが通過可能な通過領域が形成されたボディー部材と、
前記通過領域を通過する前記雄ねじに当接して前記雄ねじを支持するための複数の支持ユニットと、
を備え、
前記ボディー部材には、前記通過領域の周囲に等間隔に配置され、且つ前記複数の支持ユニットに１対１で対応し、且つ前記受入側および前記被締結部材側のいずれかに開放された複数の収納凹部が形成され、
各支持ユニットは、
前記雄ねじに当接可能な第１当接部及び前記収納凹部における通過領域側の側壁に当接可能な第２当接部を有する当接部材と、
前記当接部材を前記収納凹部における前記通路領域側の側壁に向けて付勢する付勢手段と、
を含み、
前記複数の収納凹部に設置された前記複数の支持ユニットにおける複数の前記第１当接部は、前記付勢手段の付勢力によって前記雄ねじと当接可能な前記通過領域に出現し、前記雄ねじを保持することを特徴とするねじ支持装置。
【請求項２】
前記当接部材は、円柱体であり、
前記第１当接部は、前記円柱体の円周側面の中央部位であり、
前記第２当接部は、前記円柱体の円周側面の中央部位より前記円柱体の円周側面の端部に近い側である
ことを特徴とする請求項１に記載のねじ支持装置。
【請求項３】
前記当接部材は、ボールベアリングと、このボールベアリングの内輪を通した円柱体であり、
前記第１当接部は、前記ボールベアリングの外輪であり、
前記第２当接部は、前記円柱体である
ことを特徴とする請求項１に記載のねじ支持装置。
【請求項４】
前記複数の収納凹部は蓋で覆われている
ことを特徴とする請求項１〜３のいずれか１項に記載のねじ支持装置。
【請求項５】
前記雄ねじが前記通過領域にないときに、前記第２当接部は、前記付勢手段の付勢力によって前記収容凹部における前記通路領域側の側壁に当接する
ことを特徴とする請求項１〜４のいずれか１項に記載のねじ支持装置。
【発明の詳細な説明】
【技術分野】
【０００１】
本発明は、ねじ支持装置に係り、特に、部材の取り付け、取り外しが容易なねじ支持装置に関する。
【背景技術】
【０００２】
従来、下降したビットが、接近・離間自在に設けられた一対の保持爪体の間に保持されたねじの頭部に係合して所定圧力で加圧したとき、頭部を介して両保持爪体がばね手段に抗して離間せしめられ、ビットがねじと共に両保持爪体の間を通過して、ねじを被締結部材に締め付ける自動ねじ締め装置がある（特許文献１参照）。
【先行技術文献】
【特許文献】
【０００３】
【特許文献１】特開２００５−１６９５１２号公報
【発明の概要】
【発明が解決しようとする課題】
【０００４】
ところが、特許文献１の段落番号［００１６］に「キャッチャ部１０は、図２ないし図４に示すように、シュート前端部３ａに押え板１３を介してセットボルト１４により固装された２つの取付け部材１１，１２と、両取付け部材１１，１２の間にねじ４０の搬送方向に対して直交する横方向に相対向し、かつ摺動自在に組み付けられる一対の保持爪体１５，１５とを備えている。そして、両保持爪体１５，１５間のねじ保持位置の軸線上にドライバビット５が配置される。」と記載されているように、一対の保持爪体を取り付ける際、押え板を介してセットボルト等の部材が必要であると共に、それに伴い、一対の保持爪体の取り付け、取り外しが面倒であるという問題点があった。
【０００５】
本発明は、上記問題点を考慮してなされた部材の取り付け、取り外しが容易なねじ支持装置を提供することを目的とする。
【課題を解決するための手段】
【０００６】
請求項１記載のねじ支持装置は、雌ネジを有する被締結部材に雄ねじを締め付ける際に前記雄ねじを支持するねじ支持装置であって、前記雄ねじを受け入れる受入側から被締結部材側まで連通し且つ前記雄ねじが通過可能な通過領域が形成されたボディー部材と、前記通過領域を通過する前記雄ねじに当接して前記雄ねじを支持するための複数の支持ユニットと、を備え、前記ボディー部材には、前記通過領域の周囲に等間隔に配置され、且つ前記複数の支持ユニットに１対１で対応し、且つ前記受入側および前記被締結部材側のいずれかに開放された複数の収納凹部が形成され、各支持ユニットは、前記雄ねじに当接可能な第１当接部及び前記収納凹部における通過領域側の側壁に当接可能な第２当接部を有する当接部材と、前記当接部材を前記収納凹部における前記通路領域側の側壁に向けて付勢する付勢手段と、を含み、前記複数の収納凹部に設置された前記複数の支持ユニットにおける複数の前記第１当接部は、前記付勢手段の付勢力によって前記雄ねじと当接可能な前記通過領域に出現し、前記雄ねじを保持するものである。
【０００７】
また、請求項２記載のねじ支持装置は、請求項１に記載のねじ支持装置において、前記当接部材は、円柱体であり、前記第１当接部は、前記円柱体の円周側面の中央部位であり、前記第２当接部は、前記円柱体の円周側面の中央部位より前記円柱体の円周側面の端部に近い側である。
【０００８】
また、請求項３記載のねじ支持装置は、請求項１に記載のねじ支持装置において、前記当接部材は、ボールベアリングと、このボールベアリングの内輪を通した円柱体であり、前記第１当接部は、前記ボールベアリングの外輪であり、前記第２当接部は、前記円柱体である。
【０００９】
また、請求項４記載のねじ支持装置は、請求項１〜３のいずれか１項に記載のねじ支持装置において、前記複数の収納凹部は蓋で覆われているものである。
【００１０】
また、請求項５記載のねじ支持装置は、請求項１〜４のいずれか１項に記載のねじ支持装置において、前記雄ねじが前記通過領域にないときに、前記第２当接部は、前記付勢手段の付勢力によって前記収容凹部における前記通路領域側の側壁に当接するものである。
【発明の効果】
【００１１】
請求項１記載のねじ支持装置によれば、複数の支持ユニットで雄ねじを支持でき、しかも、複数の支持ユニットが収納される複数の収納凹部が受入側および被締結部材側のいずれかに開放されているため、支持ユニットの取り付け、取り外しを容易に行うことができる。
【００１２】
また、請求項２記載のねじ支持装置によれば、上述した請求項１記載の発明の効果に加え、雄ねじを支持する部位は円柱体の円周側面の中央部位であるため、雄ねじを締め付ける際、雄ねじは、抵抗が少なく通過領域をスムースに通過することができる。
【００１３】
また、請求項３記載のねじ支持装置によれば、上述した請求項１記載の発明の効果に加え、雄ねじを支持する部位はボールベアリングの外輪であるため、雄ねじを締め付ける際、雄ねじは、抵抗が少なく通過領域をスムースに通過することができる。
【００１４】
また、請求項４記載のねじ支持装置によれば、上述した請求項１〜３のいずれか１項に記載の発明の効果に加え、複数の収納凹部は蓋で覆われているため、支持ユニットの部材（当接部材、付勢手段）が収納凹部内から離脱するのを防ぐことができる。
【００１５】
また、請求項５記載のねじ支持装置によれば、上述した請求項１〜４のいずれか１項に記載の発明の効果に加え、雄ねじが通過領域にないときに、第２当接部は、付勢手段の付勢力によって収容凹部における通路領域側の側壁に当接して、第１当接部同士が当接するのを防ぐため、第１当接部同士が当接するものに比べ、抵抗が少なく、複数の支持ユニットによる雄ねじの支持をスムースに行うことができる。
【図面の簡単な説明】
【００１６】
【図１】図１は、本発明の一実施例のねじ支持装置に上方が雄ねじの頭部、下方が雄ねじのネジ部で供給する状態を示す概略的斜視図である。
【図２】図２（ａ）は、図１のねじ支持装置の概略的平面図であり、図２（ｂ）は、図２（ａ）の蓋を取り除いて示す概略的平面図である。
【図３】図３は、図２（ｂ）に支持ユニットが収納される前の状態を示す概略的平面図である。
【図４】図４（ａ）（ｂ）（ｃ）は、本発明の一実施例のねじ支持装置の使用状態を示す概略的断面図であり、図４（ａ）は、雄ねじが複数の支持ユニットに支持された状態を示す概略的断面図であり、図４（ｂ）は、降下するドライバーのシャフトにより雄ねじを介して第１当接部と第１当接部との間隙が押し広げられた状態を示す概略的断面図であり、図４（ｃ）は、ドライバーの回転するシャフトにより雄ねじが被締結部材に締め付ける状態を示す概略的断面図である。
【図５】図５は、図２（ｂ）の一使用形態を示す写真である。
【図６】図６（ａ）（ｂ）（ｃ）は、図１のねじ支持装置と異なる他の実施例のねじ支持装置を示すもので、図６（ａ）は、概略的平面図であり、図６（ｂ）は、図６（ａ）の概略的正面図であり、図６（ｃ）は、図６（ａ）の概略的斜視図である。
【図７】図７（ａ）は、図６（ａ）の蓋を取り除いて示す概略的平面図であり、図７（ｂ）は、図７（ａ）の概略的正面図であり、図７（ｃ）は、図７（ａ）の概略的斜視図である。
【図８】図８（ａ）は、図８（ａ）に支持ユニットが収納される前の状態を示す概略的平面図であり、図８（ｂ）は、図８（ａ）の概略的斜視図であり、図８（ｃ）は、図８（ａ）を拡大して示す概略的拡大底面図である。
【図９】図９（ａ）は、雄ねじが複数の支持ユニットに支持された状態を示す概略的平面図であり、図９（ｂ）は、図９（ａ）の概略的正面図であり、図９（ｃ）は、図９（ａ）の概略的斜視図であり、図９（ｄ）は、図７（ａ）の複数の支持ユニットに最小径の雄ねじが位置した状態の概略的底面図であり、図９（ｅ）は、図７（ａ）の複数の支持ユニットに最大径の雄ねじが位置した状態の概略的底面図である。
【図１０】図１０は、図７（ａ）の一使用形態を示す写真である。
【図１１】図１１は、図８（ａ）の一使用形態を示す写真である。
【発明を実施するための形態】
【００１７】
本発明の一実施例のねじ支持装置を、図面（図１乃至図５、図６乃至図１１）を参照して説明する。
【００１８】
［実施例１（図１乃至図５）］
図１及び図４に示すＡは、雌ネジＴａを有する被締結部材Ｔに雄ねじＳを締め付ける際に雄ねじＳを支持するねじ支持装置である。ねじ支持装置Ａは、雄ねじＳを受け入れる受入側Ｘから被締結部材側Ｙまで連通し且つ雄ねじＳが通過可能な通過領域１ａが形成されたボディー部材１と、通過領域１ａを通過する雄ねじＳに当接して雄ねじＳを支持するための複数の支持ユニット２とを備えている。実施例１において、１つの通過領域１ａに対して２つの支持ユニット２が設けられている。なお、図１に示すように、上方が雄ねじＳの頭部、下方が雄ねじＳのネジ部の状態でボディー部材１に供給される。
【００１９】
ボディー部材１には、通過領域１ａの周囲に等間隔に配置され、且つ複数の支持ユニット２（図２（ｂ）、図４及び図５参照）に１対１で対応し、且つ受入側Ｘおよび被締結部材側Ｙのいずれかに開放された複数の収納凹部１Ａが形成されている。実施例１において、１つの通過領域１ａに対して２つの収納凹部１Ａが設けられている。また、実施例１において、複数の収納凹部１Ａは、受入側Ｘに開放されている。
【００２０】
各支持ユニット２は、雄ねじＳに当接可能な第１当接部２０ａ及び収納凹部１Ａにおける通過領域側の側壁に当接可能な第２当接部２０ｂを有する当接部材２０と、当接部材２０を収納凹部１Ａにおける通路領域１ａ側の側壁に向けて付勢する付勢手段２１とを含んでいる。第１当接部２０ａは、雄ねじＳの頭部又は雄ねじＳのネジ部に当接する。
実施例１において、当接部材２０は、円柱体であり、第１当接部２０ａは、円柱体の円周側面の中央部位であり、第２当接部２０ｂは、円柱体の円周側面の中央部位より円柱体の円周側面の端部に近い側である。当該構成によれば、雄ねじＳを支持する部位は円柱体の円周側面の中央部位であるため、雄ねじＳを締め付ける際、雄ねじＳは、抵抗が少なく通過領域１ａをスムースに通過することができる。
【００２１】
そして、複数の収納凹部１Ａに設置された複数の支持ユニット２における複数の第１当接部２０ａは、付勢手段２１の付勢力によって雄ねじＳと当接可能な通過領域１ａに出現し、雄ねじＳを保持する。実施例１において、付勢手段２１は、スプリングである。
【００２２】
このように複数の支持ユニット２で雄ねじＳを支持でき、しかも、複数の支持ユニット２が収納される複数の収納凹部１Ａが受入側Ｘおよび被締結部材側Ｙのいずれかに開放されているため、支持ユニット２の取り付け、取り外しを容易に行うことができる。
【００２３】
また、雄ねじＳが通過領域１ａにないときに、第２当接部２０ｂは、付勢手段２１の付勢力によって収容凹部１Ａにおける通路領域１ａ側の側壁に当接する。この構成によれば、第１当接部２０ａ同士が当接する場合に比べ、抵抗が少なく、複数の支持ユニット２による雄ねじＳの支持をスムースに行うことができる。
【００２４】
更に、詳述すれば、図４に示すように、雄ねじＳのネジ部が、２つの付勢手段２１によりそれぞれ付勢された２つの当接部材２０の隙間（通過領域１ａ）に位置し、２つの当接部材２０に雄ねじＳの頭部裏面が支持され［図４（ａ）］、支持された雄ねじＳをドライバーＤで雄ねじＳの下方に位置する雌ネジＴａを有する被締結部材Ｔに締め付ける際に使用されるものである［図４（ｂ）（ｃ）］。
【００２５】
また、実施例１において、複数の収納凹部１Ａは、蓋３で覆われている（図１及び図４参照）。複数の収納凹部１Ａを蓋３で覆うことにより、支持ユニット２の部材（当接部材２０、付勢手段２１）が収納凹部１Ａ内から離脱するのを防ぐことができる。
【００２６】
蓋３には、雄ねじＳを受け入れる開口部３ａが形成されている。開口部３ａは、１個でも良いが、実施例１においては、ボディー部材１に設けられた複数の通過領域１ａに対応して複数並設されている。開口部３ａには、ねじ供給体５０の案内通路５を介して、上方が雄ねじＳの頭部、下方が雄ねじＳのネジ部の状態である雄ねじＳが上方から供給される。
【００２７】
次に、実施例１の具体例について説明する。本具体例において、図３及び図５に示すように、第１の凹所１Ａ１及び第２の凹所１Ａ２が１つの収納凹部１Ａを構成する。同様に、第１’の凹所１Ａ１’及び第２’の凹所１Ａ２’が１つの収納凹部１Ａを構成する。また、図２、図４及び図５に示すように、当接部材２０に対応する第１の円柱体２０１及び付勢手段２１に対応する第１のスプリング２１１が１つの支持ユニット２を構成する。同様に、当接部材２０に対応する第１’の円柱体２０１’及び付勢手段２１に対応する第１’のスプリング２１１’が１つの支持ユニット２を構成する。また、図２、図４及び図５に示すように、連通孔１Ａ３が通過領域１ａの一部を構成する。
【００２８】
ボディー部材１には、第１のスプリング２１１の一方の端部２１１ａを収納する第１の凹所１Ａ１と、この第１の凹所１Ａ１に連通し、第１の円柱体２０１を収納すると共に、第１の円柱体２０１の移動スペースと第１のスプリング２１１の他方の端部２１１ｂを収納する第２の凹所１Ａ２とが形成されている。また、ボディー部材１には、第１’のスプリング２１１’の一方の端部２１１ａ’を収納する第１’の凹所１Ａ１’と、この第１’の凹所１Ａ１’に連通し、第１’の円柱体２０１’を収納すると共に、第１’の円柱体２０１’の移動スペースと第１’のスプリング２１１’の他方の端部２１１ｂ’を収納する第２’の凹所１Ａ２’とが形成されている。また、ボディー部材１には、第２の凹所１Ａ２と第２’の凹所１Ａ２’とを連通する連通孔１Ａ３と、この連通孔１Ａ３に張り出すと共に、対向する位置にある第１の凸部１Ａ４及び第２の凸部１Ａ５とが形成されている。
連通孔１Ａ３は、 蓋３の開口部３ａに対向した位置にあり、開口部３ａを通過した雄ねじＳは、連通孔１Ａ３に導かれるようになっている。
【００２９】
第２の凹所１Ａ２に第１の円柱体２０１、第１の凹所１Ａ１及び第２の凹所１Ａ２に第１のスプリング２１１が、それぞれ配置される。第１のスプリング２１１の他方の端部２１１ｂに第１の円柱体２０１の側面に当接して、第１の円柱体２０１は、第１の凸部１Ａ４及び第２の凸部１Ａ５の一方の側面Ｘ’に、第１のスプリング２１１により押し付けられている。また、第２’の凹所１Ａ２’に第１’の円柱体２０１’、第１’の凹所１Ａ１’及び第２’の凹所１Ａ２’に第１’のスプリング２１１’が、それぞれ配置される。第１’のスプリング２１１’の他方の端部２１１ｂ’に第１’の円柱体２０１’の側面に当接して、第１’の円柱体２０１’が第１の凸部１Ａ４及び第２の凸部１Ａ５の他方の側面Ｙ’に第１’のスプリング２１１’により押し付けられている。
【００３０】
そして、第１のスプリング２１１により第１の凸部１Ａ４及び第２の凸部１Ａ５の一方の側面Ｘ’に押し付けられた第１の円柱体２０１と第１’のスプリング２１１’により第１の凸部１Ａ４及び第２の凸部１Ａ５の他方の側面Ｙ’に押し付けられた第１’の円柱体２０１’とは、平行関係にあり、第１の凹所１Ａ１の開口部、第２の凹所１Ａ２の開口部、連通孔１Ａ３の開口部、第２’の凹所１Ａ２’の開口部、第１’の凹所１Ａ１’の開口部は、受入側Ｘに開放されている。
そのため、図２（ｂ）、図３に示すように、第１の凹所１Ａ１の開口部、第２の凹所１Ａ２の開口部、第２’の凹所１Ａ２’の開口部、第１’の凹所１Ａ１’の開口部を介して、第１のスプリング２１１、第１の円柱体２０１、第１’のスプリング２１１’、第１’の円柱体２０１’を取り付け、取り外しを容易に行うことができる。
【００３１】
Ｔは、図４に示すように、ボディー部材１の下に位置し、雄ねじＳのネジ部に螺合する雌ネジを有する被締結部材である。被締結部材Ｔは、一方の部材Ｔ１と他方の部材Ｔ２とを雄ねじＳにより締結されるものである［図４（ａ）（ｂ）（ｃ）参照］。
【００３２】
蓋３の開口部３ａの大きさは、雄ねじ及び雄ねじを締め付けるドライバーＤのシャフトが入る大きさに設定される。第１のスプリング２１１により第１の凸部１Ａ４及び第２の凸部１Ａ５の一方の側面Ｘ’に押し付けられた第１の円柱体２０１と第１’のスプリング２１１’により第１の凸部１Ａ４及び第２の凸部１Ａ５の他方の側面Ｙ’に押し付けられた第１’の円柱体２０１’とに間隙があり、押し広げられてドライバーＤのシャフトが入れば良いが、望ましくは、当該間隙の大きさが雄ねじＳを締め付けるドライバーＤのシャフトに接触しない寸法に設定されているのが良い。
このように、当該間隙の大きさが雄ねじＳを締め付けるドライバーＤのシャフトが入る大きさに設定されていると、ドライバーＤの回転するシャフトに第１の円柱体２０１、第１’の円柱体２０１’が接触するのを防いで、第１の円柱体２０１、第１’の円柱体２０１’が損傷するのを防止することができる。
【００３３】
なお、ねじの締め付け方法は、雄ねじＳのねじ部が、第１のスプリング２１１により付勢された第１の円柱体２０１と第１’のスプリング２１１’により付勢された第１’の円柱体２０１’との隙間に位置し、第１の円柱体２０１と第１’の円柱体２０１’に雄ねじＳが支持され、支持された雄ねじＳをドライバーＤで雄ねじＳの下方に位置する雌ネジＴａを有する被締結部材Ｔに締め付けるものである。
そして、第１のスプリング２１１、第１の円柱体２０１、第１’のスプリング２１１’及び第１’の円柱体２０１’は、ボディー部材１の開放された複数の収納凹部１Ａに収納されている
【００３４】
その結果、上述したねじの締め付け方法によれば、第１のスプリング２１１、第１の円柱体２０１、第１’のスプリング２１１’及び第１’の円柱体２０１’は、ボディー部材１の開放された複数の収納凹部１Ａに収納されているため、第１のスプリング２１１、第１の円柱体２０１、第１’のスプリング２１１’及び第１’の円柱体２０１’の取り付け、取り外しを容易に行うことができる。しかも、雄ねじＳをドライバーＤで被締結部材Ｔに締め付ける際、第１の円柱体２０１及び第１’の円柱体２０１’が第１のスプリング２１１及び第１’のスプリング２１１’により移動し、雄ねじＳの移動を邪魔せず、更に、雄ねじＳの支持が第１の円柱体２０１及び第１’の円柱体２０１’の円周部位であるため、抵抗が少なく雄ねじの締結が容易となる。
【００３５】
［実施例２（図６乃至図１１）］
次に、上述した実施例１と異なる他の実施例を、図６乃至図１１を参照して、以下説明する。
実施例２のねじ支持装置Ａも、実施例１のねじ支持装置Ａと同様に、図９に示すように、雄ねじＳを受け入れる受入側Ｘから被締結部材側Ｙまで連通し且つ雄ねじＳが通過可能な通過領域１ａが形成されたボディー部材１と、通過領域１ａを通過する雄ねじＳに当接して雄ねじＳを支持するための複数の支持ユニット２（図１０参照）とを備えている。実施例２において、１つの通過領域１ａに対して３つの支持ユニット２が設けられている。
【００３６】
ボディー部材１には、通過領域１ａの周囲に等間隔に配置され、且つ複数の支持ユニット２に１対１で対応し、且つ受入側Ｘおよび被締結部材側Ｙのいずれかに開放された複数の収納凹部１Ａ（図１１参照）が形成されている。実施例２において、１つの通過領域１ａに対して３つの収納凹部１Ａが設けられている。また、実施例２において、複数の収納凹部１Ａは、受入側Ｘに開放されている。
【００３７】
各支持ユニット２は、雄ねじＳに当接可能な第１当接部２０ａ及び収納凹部１Ａにおける通過領域側の側壁に当接可能な第２当接部２０ｂを有する当接部材２０と、当接部材２０を収納凹部１Ａにおける通路領域１ａ側の側壁に向けて付勢する付勢手段２１と、を含んでいる。第１当接部２０ａは、雄ねじＳの頭部又は雄ねじＳのネジ部に当接する。
実施例２において、当接部材２０は、ボールベアリングと、このボールベアリングの内輪を通した円柱体であり、第１当接部２０ａは、ボールベアリングの外輪であり、第２当接部２０ｂは、円柱体である。当該構成によれば、雄ねじＳを支持する部位はボールベアリングの外輪であるため、雄ねじＳを締め付ける際、雄ねじＳは、抵抗が少なく通過領域１ａをスムースに通過することができる。
【００３８】
そして、複数の収納凹部１Ａに設置された複数の支持ユニット２における複数の第１当接部２０ａは、付勢手段２１の付勢力によって雄ねじＳと当接可能な通過領域１ａに出現し、雄ねじＳを保持する。実施例２において、付勢手段２１は、スプリングである。
【００３９】
このように複数の支持ユニット２で雄ねじＳを支持でき、しかも、複数の支持ユニット２が収納される複数の収納凹部１Ａが受入側Ｘおよび被締結部材側Ｙのいずれかに開放されているため、支持ユニット２の取り付け、取り外しを容易に行うことができる。
【００４０】
また、雄ねじＳが通過領域１ａにないときに、第２当接部２０ｂは、付勢手段２１の付勢力によって収容凹部１Ａにおける通路領域１ａ側の側壁に当接する。この構成によれば、第１当接部２０ａ同士が当接する場合に比べ、抵抗が少なく、複数の支持ユニット２による雄ねじＳの支持をスムースに行うことができる。
【００４１】
また、実施例２において、実施例１と同様に、複数の収納凹部１Ａは、蓋３で覆われている（図６及び図９参照）。複数の収納凹部１Ａを蓋３で覆うことにより、支持ユニット２の部材（当接部材２０、付勢手段２１）が収納凹部１Ａ内から離脱するのを防ぐことができる。蓋３は、上方が雄ねじＳの頭部、下方が雄ねじＳのネジ部の状態を受け入れる開口部を有する。
【００４２】
次に、実施例２の具体例について説明する。本具体例において、図８及び図１１に示すように、第１のボールベアリング凹所１Ａ１Ｂ、第２の凹所１Ａ２、第１のスプリング凹所１Ａ１Ｓ及び第２のスプリング凹所１Ａ２Ｓが１つの収納凹部１Ａを構成する。同様に、第１’のボールベアリング凹所１Ａ１Ｂ’、第２’の凹所１Ａ２’、第１’のスプリング凹所１Ａ１Ｓ’及び第２’のスプリング凹所１Ａ２Ｓ’が１つの収納凹部１Ａを構成する。同様に、第１”のボールベアリング凹所１Ａ１Ｂ”、第２”の凹所１Ａ２”、第１”のスプリング凹所１Ａ１Ｓ”及び第２”のスプリング凹所１Ａ２Ｓ”が１つの収納凹部１Ａを構成する。
【００４３】
また、図７、図９及び図１０に示すように、当接部材２０に対応する第１のボールベアリング２０１及び第１の円柱体２０２と、付勢手段２１に対応する第１のスプリング２１１及び第２のスプリング２１２とが１つの支持ユニット２を構成する。同様に、当接部材２０に対応する第１’のボールベアリング２０１’及び第１’の円柱体２０２’と、付勢手段２１に対応する第１’のスプリング２１１’及び第２’のスプリング２１２’とが１つの支持ユニット２を構成する。同様に、当接部材２０に対応する第１”のボールベアリング２０１”及び第１”の円柱体２０２”と、付勢手段２１に対応する第１”のスプリング２１１”及び第２”のスプリング２１２”とが１つの支持ユニット２を構成する。また、図６乃至図８、図１０及び図１１が示すように、連通孔ＲＯが通過領域１ａの一部を構成する。
【００４４】
本具体例において、ねじ支持装置Ａは、雄ねじＳ、例えば、雄ねじＳのネジ部が、第１のスプリング２１１及び第２のスプリング２１２により付勢された第１の円柱体２０２を第１の内輪に当接した第１のボールベアリング２０１の第１の外輪と、第１’のスプリング２１１’及び第２’のスプリング２１２’により付勢された第１’の円柱体２０２’を第１’の内輪に当接した第１’のボールベアリング２０１’の第１’の外輪と、第１”スプリング２１１”及び第２”のスプリング２１２”により付勢された第１”の円柱体２０２”を第１”の内輪に当接した第１”のボールベアリング２０１”（２０）の第１”の外輪との隙間（通過領域１ａ）に位置する。第１のボールベアリング２０１と第１’のボールベアリング２０１’と第１”のボールベアリング２０１”に雄ねじＳ（例えば、雄ねじＳのネジ部）が支持され、支持された雄ねじＳをドライバー（図示しないが、図４記載のドライバーＤ）で雄ねじＳの下方に位置する雌ネジを有する被締結部材（図示しないが、図４記載の被締結部材Ｔ）に締め付ける際に使用されるものである。
【００４５】
ボディー部材１には、図８及び図１１に示すように、第１のスプリング２１１の一方の端部を収納する第１のスプリング凹所１Ａ１Ｓと、第２のスプリング２１２の一方の端部を収納する第２のスプリング凹所１Ａ２Ｓと、第１のボールベアリング２０１を収納する第１のボールベアリング凹所１Ａ１Ｂと、第１のボールベアリング２０１の第１の内輪に当接した第１の円柱体２０２を収納すると共に、第１の円柱体２０２の移動と第１のスプリング２１１の他方の端部、第２のスプリング２１２の他方の端部を収納する第２の凹所１Ａ２と、が形成されている。
また、ボディー部材１には、第１’のスプリング２１１’の一方の端部を収納する第１’のスプリング凹所１Ａ１Ｓ’と、第２’のスプリング２１２’の一方の端部を収納する第２’のスプリング凹所１Ａ２Ｓ’と、第１’のボールベアリング２０１’を収納する第１’のボールベアリング凹所１Ａ１Ｂ’と、第１’のボールベアリング２０１’の第１’の内輪に当接した第１’の円柱体２０２’を収納すると共に、第１’の円柱体２０２’の移動と第１’のスプリング２１１’の他方の端部、第２’のスプリング２１２’の他方の端部を収納する第２’の凹所１Ａ２’と、が形成されている。
また、ボディー部材１には、第１”のスプリング２１１”の一方の端部を収納する第１”のスプリング凹所１Ａ１Ｓ”と、第２”のスプリング２１２”の一方の端部を収納する第２”のスプリング凹所１Ａ２Ｓ”と、第１”のボールベアリング２０１”を収納する第１”のボールベアリング凹所１Ａ１Ｂ”と、第１”のボールベアリング２０１”の第１”の内輪に当接した第１”の円柱体２０２”を収納すると共に、第１”の円柱体２０２”の移動と第１”のスプリング２１１”の他方の端部、第２”のスプリング２１２”の他方の端部を収納する第２”の凹所１Ａ２”と、が形成されている。
【００４６】
第１のボールベアリング凹所１Ａ１Ｂ、第１のスプリング凹所１Ａ１Ｓ及び第２のスプリング凹所１Ａ２Ｓは、第２の凹所１Ａ２に連通している。第２のスプリング凹所１Ａ２Ｓは、第１のスプリング凹所１Ａ１Ｓに平行である。
また、第１’のボールベアリング凹所１Ａ１Ｂ’、第１’のスプリング凹所１Ａ１Ｓ’及び第２’のスプリング凹所１Ａ２Ｓ’は、第２’の凹所１Ａ２’に連通している。第２’のスプリング凹所１Ａ２Ｓ’は、第１’のスプリング凹所１Ａ１Ｓ’に平行である。
また、第１”のボールベアリング凹所１Ａ１Ｂ”、第１”のスプリング凹所１Ａ１Ｓ”及び第２”のスプリング凹所１Ａ２Ｓ”は、第２”の凹所１Ａ２”に連通している。第２”のスプリング凹所１Ａ２Ｓ”は、第１”のスプリング凹所１Ａ１Ｓ”に平行である。
また、第１のボールベアリング凹所１Ａ１Ｂ、第１’のボールベアリング凹所１Ａ１Ｂ’及び第１”のボールベアリング凹所１Ａ１Ｂ”は、連通孔ＲＯで連通している。
【００４７】
また、図８（ｃ）に示すように、第１のボールベアリング凹所１Ａ１Ｂの中心線Ｘ”、第１’のボールベアリング凹所１Ａ１Ｂ’の中心線Ｙ”及び第１”のボールベアリング凹所１Ａ１Ｂ”の中心線Ｚ”は、ボディー部材１の中心よりずれている。そして、中心線Ｘ”、中心線Ｙ”及び中心線Ｚ”により囲まれる形状は、正三角形ａｂｃとなっている。この正三角形ａｂｃは、連通孔ＲＯ内にあり、蓋３の開口部は、連通孔ＲＯに対向すると共に、連通するようになっている。
【００４８】
また、図８（ａ）及び図１１に示すように、第１のスプリング凹所１Ａ１Ｓの開口部、第２のスプリング凹所１Ａ２Ｓの開口部、第１のボールベアリング凹所１Ａ１Ｂの開口部、第２の凹所１Ａ２の開口部、第１’のスプリング凹所１Ａ１Ｓ’の開口部、第２’のスプリング凹所１Ａ２Ｓ’の開口部、第１’のボールベアリング凹所１Ａ１Ｂ’の開口部、第２’の凹所１Ａ２’の開口部、第１”のスプリング凹所１Ａ１Ｓ”の開口部、第２”のスプリング凹所１Ａ２Ｓ”の開口部、第１”のボールベアリング凹所１Ａ１Ｂ”及び第２”の凹所１Ａ２”の開口部は、受入側Ｘに開放されている。
そのため、これら開口部を介して、第１の付勢手段２１１、第２の付勢手段２１２、第１の円柱体２０２を有する第１のボールベアリング２０１、第１’の付勢手段２１１’、第２の付勢手段２１２、第１’の円柱体２０２’を有する第１’のボールベアリング２０１’、第１”の付勢手段２１１”、第２”の付勢手段２１２”及び第１”の円柱体２０２”を有する第１”のボールベアリング２０１”の取り付け、取り外しを容易に行うことができる。
【００４９】
第１のボールベアリング２０１が第１のボールベアリング凹所１Ａ１Ｂに配置され、第１のボールベアリング２０１の内輪に当接された第１の円柱体２０２が第２の凹所１Ａ２に配置される。また、第１のスプリング２１１が第１のスプリング凹所１Ａ１Ｓ及び第２の凹所１Ａ２に配置され、第２のスプリング２１２が第２のスプリング凹所１Ａ２Ｓ及び第２の凹所１Ａ２に配置される。第１のボールベアリング２０１は、第１のスプリング２１１及び第２のスプリング２１２により、連通孔ＲＯに向かって付勢されている。
【００５０】
第１’のボールベアリング２０１’ 第１’のボールベアリング凹所１Ａ１Ｂ’に配置され、第１’のボールベアリング２０１’の内輪に当接された第１’の円柱体２０２’が第２’の凹所１Ａ２’に配置される。また、第１’のスプリング２１１’が第１’のスプリング凹所１Ａ１Ｓ’及び第２’の凹所１Ａ２’に配置され、第２’のスプリング２１２’が第２’のスプリング凹所１Ａ２Ｓ’及び第２’の凹所１Ａ２’に配置される。第１’のボールベアリング２０１’は、第１’のスプリング２１１’及び第２’のスプリング２１２’により、連通孔ＲＯに向かって付勢されている。
【００５１】
第１”の円柱体２０２”を第１”の内輪に当接した第１”のボールベアリング２０１”が第１”のボールベアリング凹所１Ａ１Ｂ”に配置され、第１”のボールベアリング２０１”の内輪に当接された第１”の円柱体２０２”が第２”の凹所１Ａ２”に配置される。また、第１”のスプリング２１１”が第１”のスプリング凹所１Ａ１Ｓ” 及び第２”の凹所１Ａ２”に、第２”のスプリング２１２”が第２”のスプリング凹所１Ａ２Ｓ”に第２”のスプリング凹所１Ａ２Ｓ”及び第２”の凹所１Ａ２”にそれぞれ配置される。第１”のボールベアリング２０１”は、第１”のスプリング２１１”及び第２”のスプリング２１２”により、連通孔ＲＯに向かって付勢されている。
【００５２】
したがって、ボディー部材１の第１のスプリング２１１及び第２のスプリング２１２で付勢された第１のボールベアリング２０１の外輪と、第１’のスプリング２１１’及び第２’のスプリング２１２’で付勢された第１’のボールベアリング２０１’の外輪と、第１”のスプリング２１１”及び第２”のスプリング２１２”で付勢された第１”のボールベアリング２０１”の外輪とで雄ねじＳを保持することができる。また、当該構成によれば、図９（ｄ）（ｅ）に示すように、φｄからφＤ（Ｄ＞ｄ）までの複数の径の雄ねじＳを保持することができる。
【００５３】
なお、ねじの締め付け方法は、雄ねじＳ が、図９（ａ）（ｂ）（ｃ）（ｄ）（ｅ）に示すように、雄ねじＳが、第１のスプリング２１１及び第２のスプリング２１２により付勢された第１の円柱体２０２を内輪に当接した第１のボールベアリング２０１の外輪と、第１’のスプリング２１１’及び第２’のスプリング２１２’により付勢された第１’の円柱体２０２’を内輪に当接した第１’のボールベアリング２０１’の外輪と、第１”のスプリング２１１”及び第２”のスプリング２１２”により付勢された第１”の円柱体２０２”を内輪に当接した第１”のボールベアリング２０１”の外輪との隙間に位置し、第１のボールベアリング２０１と第１’のボールベアリング２０１’と第１”のボールベアリング２０１”とに雄ねじＳが支持され、支持された雄ねじＳをドライバーで雄ねじＳの下方に位置する雌ネジを有する被締結部材（図示しないが、図４記載の被締結部材Ｔ）に締め付けるものである。
そして、第１のスプリング２１１、第２のスプリング２１２、第１’のスプリング２１１’、第２’のスプリング２１２’、第１”のスプリング２１１”、第２”のスプリング２１２”、第１の円柱体２０２、第１’の円柱体２０２’、第１”の円柱体２０２”、第１のボールベアリング２０１、第１’のボールベアリング２０１’及び第１”のボールベアリング２０１”は、ボディー部材１の開放された複数の収納凹部１Ａに収納されている。
【００５４】
その結果、上述したねじの締め付け方法によれば、第１のスプリング２１１、第２のスプリング２１２、第１’のスプリング２１１’、第２’のスプリング、第１”のスプリング２１１”、第２”のスプリング２１２”、第１の円柱体２０２、第１’の円柱体２０２’、第１”の円柱体２０２”、第１のボールベアリング２０１、第１’のボールベアリング２０１’及び第１”のボールベアリング２０１”の取り付け、取り外しを容易に行うことができる。しかも、雄ねじＳをドライバーで被締結部材（図示しないが、図４記載の被締結部材Ｔ）に締め付ける際、第１のボールベアリング２０１の外輪、第１’のボールベアリング２０１’の外輪及び第１”のボールベアリング２０１”の外輪が移動し、雄ねじＳの移動を邪魔しない。更に、雄ねじＳの支持部位がボールベアリング２０１、２０１’、２０１”の外輪であるため、抵抗が少なく雄ねじの締結が容易である。加えて、雄ねじＳの支持部位が、ボールベアリング２０１、２０１’、２０１”の外輪のそれぞれの回転により変化し、一カ所に偏らず、耐久性が良好となる。
【００５５】
上述した実施例においては、１つの通過領域１ａに対して２つの収納凹部（実施例１）又は３つの収納凹部（実施例２）が設けられたが、これに限らず、１つの通過領域１ａに対して４つ以上の収納凹部を設けてもよい。
【００５６】
また、上述した実施例においては、当接部材２０として円柱体（実施例１）又はボールベアリング及び円柱体（実施例２）を用いたが、これに限らず、角柱体など他の部材を当接部材２０として用いてもよい。
【００５７】
また、上述した実施例においては、付勢手段２１としてスプリングを用いたが、これに限らず、ゴム等の他の弾性部材や磁力やエア圧力など他の駆動源を用いて当接部材２０を付勢するようにしてもよい。
【００５８】
また、上述した実施例においては、複数の収納凹部１Ａ は蓋３で覆われるようにしたが、これに限らず、蓋３を省略してもよい。
【００５９】
また、上述した実施例１においては、雌ネジＴａを有する被締結部材Ｔに雄ねじＳを締め付ける際に雄ねじＳの頭部裏面を支持するようにしたが、これに限らず、雄ねじＳのネジ部を支持するようにしてもよい。
【００６０】
また、上述した実施例２においては、雌ネジＴａを有する被締結部材Ｔに雄ねじＳを締め付ける際に雄ねじＳのネジ部を支持するようにしたが、これに限らず、雄ねじＳの頭部裏面を支持するようにしてもよい。
【符号の説明】
【００６１】
Ａ      ねじ支持装置
Ｄ      ドライバー
Ｓ      雄ねじ
Ｔ      被締結部材
Ｔａ    雌ネジ
Ｘ      受入側
Ｙ      被締結部材側
１      ボディー部材
１Ａ    収納凹部
１ａ    通過領域
２      支持ユニット
２０    当接部材
２１    付勢手段
【図１】
2019173861.tif 000003
【図２】
2019173861.tif 000004
【図３】
2019173861.tif 000005
【図４】
2019173861.tif 000006
【図５】
2019173861.tif 000007
【図６】
2019173861.tif 000008
【図７】
2019173861.tif 000009
【図８】
2019173861.tif 000010
【図９】
2019173861.tif 000011
【図１０】
2019173861.tif 000012
【図１１】
2019173861.tif 000013